(57)【要約】      （修正有）【課題】針糸繰り孔と針糸区間の張力を適宜調整できるミシンの針糸繰り装置を提供する。【解決手段】針糸区間の繰り出し量を調整可能なミシンであって、定置針糸装置１２を備えるミシン本体１と、ミシン本体にそれぞれ取り付けられる揺動式針糸繰り出し組立体２と、保持と針糸案内ケース３と、揺動式針糸繰り出し組立体と定置針糸装置との間に取り付けられて水平方向直線移動と垂直方向直線移動を行う糸調子組立体４とを含む。糸調子組立体が、揺動式針糸繰り出し組立体に対して水平方向直線移動と垂直方向直線移動を行うことで、複数のミシン針の下方における複数針糸の針糸区間の繰り出し量を調整する。【選択図】図１
0003214602.tif 000002
【実用新案登録請求の範囲】
【請求項１】
ミシンアーム部と、前記ミシンアーム部に取り付けられて複数の針糸を輸送する定置針糸装置と、前記ミシンアーム部に取り付けられて前記ミシンアーム部に対して縫製往復運動を行う針棒と、前記針棒に取り付けられて前記針棒に連動する複数のミシン針と、前記定置針糸装置と前記針棒との間に設けられて前記縫製往復運動と同期して往復回転運動を行う駆動軸とを含むミシン本体と、
前記ミシン本体に取り付けられ、前記駆動軸に組み付けられて前記駆動軸に駆動されて往復揺動運動を行う接合部品と、前記接合部品に組み付けられて調整手段を介してそれぞれ、前記接合部品に対して水平方向直線移動を行うとともに前記定置針糸装置から連続的に前記複数の針糸を輸送する第１の摺動案内部品と、第２の摺動案内部品とを含む揺動式針糸繰り出し組立体と、
前記定置針糸装置と前記揺動式針糸繰り出し組立体との間に取り付けられ、前記定置針糸装置に取り付けられる組付部品と、前記組付部品に組み付けられて調整手段を介して、前記組付部品に対して前記第１の摺動案内部品と第２の摺動案内部品と同様に、前記水平方向直線移動を行う案内片と、前記案内片に組み付けられて調整手段を介して、前記案内片に対して垂直方向直線移動を行うとともに前記第１の摺動案内部品と前記定置針糸装置と間で前記複数の針糸を案内する第３の摺動案内部品とを含む糸調子組立体と、
前記ミシン本体に取り付けられ、前記ミシンアーム部に組み付けられて前記揺動式針糸繰り出し組立体を保持させて前記往復揺動運動を行わせる保持枠と、前記保持枠に設けられて連続的に前記針糸を前記複数のミシン針までそれぞれ輸送する針糸案内部品と、前記針糸案内部品と前記第２の摺動案内部品との間に設けられる複数の調整部品とを含み、なお、前記糸調子組立体は、前記揺動式針糸繰り出し組立体に対して前記水平方向直線移動と前記垂直方向直線移動を行うことで前記複数の針糸を前記複数の調整部品に当接させて前記複数の針下方における前記複数の針糸区間の繰り出し量を増加させる保持と針糸案内ケースとを含む、針糸区間の繰り出し量を調整可能なミシン。
【請求項２】
前記組付部品は、前記定置針糸装置に組み付けられる組付部と、前記組付部から延伸することで前記案内片を組み付けるための接続部と、前記接続部に設けられて第１の調整ボルトをそれぞれ締結させる複数の第１の取付け孔とをさらに含み、且つ前記案内片は、前記第１の調整ボルトそれぞれを、その中に貫設することで、前記第１の取付け孔にそれぞれ締結させて前記案内片と前記組付部品との相対的位置を調整するための第１の摺動溝と、前記第１の摺動溝と一定角度をなすように設けられる第２の摺動溝とをさらに含む請求項１に記載の針糸区間の繰り出し量を調整可能なミシン。
【請求項３】
前記第３の摺動案内部品は、前記複数の針糸を通すための複数の第１の針糸繰り部と、前記第２の摺動溝に組み付けられて前記第３の摺動案内部品を前記第３の摺動案内部品にて前記垂直方向直線移動を行わせる調整部とをさらに含む請求項２に記載の針糸区間の繰り出し量を調整可能なミシン。
【考案の詳細な説明】
【技術分野】
【０００１】
本考案は、ミシン、特に針糸繰り揺動アームを調整することでより大きな繰り出し量の針糸区間を供給することができる、針糸区間の繰り出し量を調整可能なミシンに関するものである。
【背景技術】
【０００２】
従来の針糸繰り装置付ミシンでは、常に良好な縫い調子を維持するための針糸の繰り出し制御手段として、ミシンのアーム部の前面などに上下往復揺動運動する可動針糸繰り部材が設けられている他に、針棒の上端部をミシンアーム部の先端部の上壁部よりも上方へ突出させて、その突出した針棒の上端部分に針棒と同期して上下に往復運動する針糸道を固定したものが知られていた。
【０００３】
例えば、台湾特許Ｉ２８３２７４号公報のミシンの針糸繰り装置では、ミシンアーム部に、３つの第１の針糸繰り孔と３つの第２の針糸繰り孔とを備える可動針糸繰り部材と、３つの可変針糸道、針糸受けと、針糸孔付針糸繰り案内部品が設けられる。前記可動針糸繰り部材は、針棒と同期して針糸繰り軸を中心に往復揺動運動を行うことで、複数針糸の繰り出し量を適宜制御して、布の厚みなどにかかわらず所定の縫製を行うことができる。しかしながら、上記特許では、前記複数の第１の針糸繰り孔と前記複数の第２の針糸繰り孔は互いに固定されており、つまり、前記複数の第１の針糸繰り孔と前記複数の第２の針糸繰り孔を通す針糸部分の長さを適宜調整することで、布の縫製状態へ対応することはできない。また、前記３つの可変針糸道と前記針棒との間において、張力の調整ができない。従って、布の性質に応じて、前記複数の第１の針糸繰り孔と前記複数の第２の針糸繰り孔との距離と、張力を適宜調整することができる装置を、いかにして設計するかは、当業者にとって解決すべき課題となっている。
【０００４】
本考案者は、上記の実情に鑑みて「針糸区間の繰り出し量を調整可能なミシン」と題する実用新案出願を行った（台湾実用新案Ｍ５１８２３４号公報）。ミシン本体と、前記ミシン本体に取り付けられる揺動式針糸繰り出し組立体と、保持と針糸案内ケースとを含む。前記揺動式針糸繰り出し組立体は、駆動を受けて往復揺動運動を行う接合部品と前記接合部品に組み付けられて調整手段を介してそれぞれ、前記接合部品に対して直線移動を行うとともに複数の前記針糸を輸送する第１の摺動案内部品と、第２の摺動案内部品とを含む。前記保持と針糸案内ケースは、前記揺動式針糸繰り出し組立体を保持させて前記往復揺動運動を行わせる保持枠と、前記保持枠に設けられて前記針糸それぞれを、複数のミシン針まで輸送する針糸案内部品とを含む。前記第１の摺動案内部品と前記第２の摺動案内部品は、相対的に運動できるとともに、前記往復揺動において、前記複数のミシン針に大きな針糸繰り出し量の針糸区間を供給することができる。
【０００５】
上記の台湾実用新案Ｍ５１８２３４号公報は、現行の上記ミシンの不備を解消することはできるが、本考案者は、前記ミシンについて研究と設計を重ねてきたところ、その使い勝手のよさをさらに向上させるべく、本考案の針糸区間の繰り出し量を調整可能なミシンを案出するに至った。
【先行技術文献】
【特許文献】
【０００６】
【特許文献１】台湾特許Ｉ２８３２７４号公報
【特許文献２】台湾実用新案Ｍ５１８２３４号公報
【考案の概要】
【考案が解決しようとする課題】
【０００７】
本考案は、従来のミシンの針糸繰り装置が針糸繰り孔と針糸区間の張力を適宜調整できないという課題を解決することを目的とする。
【課題を解決するための手段】
【０００８】
上記の目的を達成するために、本考案は、針糸区間の繰り出し量を調整可能なミシンを開示し、ミシン本体と、揺動式針糸繰り出し組立体と、糸調子組立体と、保持と針糸案内ケースとを含む。
前記ミシン本体は、ミシンアーム部と、前記ミシンアーム部に取り付けられて複数の針糸を輸送する定置針糸装置と、前記ミシンアーム部に取り付けられて前記ミシンアーム部に対して縫製往復運動を行う針棒と、前記針棒に取り付けられて前記針棒に連動する複数のミシン針と、前記定置針糸装置と前記針棒との間に設けられて前記縫製往復運動と同期して往復回転運動を行う駆動軸とを含む。
前記揺動式針糸繰り出し組立体は、前記ミシン本体に取り付けられ、前記揺動式針糸繰り出し組立体は、前記駆動軸に組み付けられて前記駆動軸に駆動されて往復揺動運動を行う接合部品と、前記接合部品に組み付けられて調整手段を介してそれぞれ、前記接合部品に対して水平方向直線移動を行うとともに前記定置針糸装置から連続的に前記複数の針糸を輸送する第１の摺動案内部品と、第２の摺動案内部品とを含む。
前記糸調子組立体は、前記定置針糸装置と前記揺動式針糸繰り出し組立体との間に取り付けられ、前記糸調子組立体は、前記定置針糸装置に取り付けられる組付部品と、前記組付部品に組み付けられて調整手段を介して、前記組付部品に対して前記第１の摺動案内部品と第２の摺動案内部品と同様に、前記水平方向直線運動を行う案内片と、前記案内片に組み付けられて調整手段を介して、前記案内片に対して垂直方向直線移動を行うとともに前記第１の摺動案内部品と前記定置針糸装置と間で前記複数の針糸を案内する第３の摺動案内部品とを含む。
前記保持と針糸案内ケースは、前記ミシン本体に取り付けられ、前記保持と針糸案内ケースは、前記ミシンアーム部に組み付けられて前記揺動式針糸繰り出し組立体を保持させて前記往復揺動運動を行う保持枠と、前記保持枠に設けられて連続的に前記針糸それぞれを、前記複数のミシン針までに輸送する針糸案内部品と、前記針糸案内部品と前記第２の摺動案内部品との間に設けられる複数の調整部品とを含み、なお、前記糸調子組立体は、前記揺動式針糸繰り出し組立体に対して前記水平方向直線運動と前記垂直方向直線移動を行うことで前記複数の針糸を前記複数の調整部品に当接させて前記複数のミシン針下方における前記複数の針糸区間の針糸繰り出し量を増加させる。
【０００９】
一実施例では、前記組付部品は、前記定置針糸装置に組み付けられる組付部と、前記組付部から延伸することで前記案内片を組み付けるための接続部と、前記接続部に設けられ第１の調整ボルトをそれぞれ締結させる複数の第１の取付け孔とをさらに含む。
【００１０】
一実施例では、前記組付部と前記接続部との間に湾曲部を有する。
【００１１】
一実施例では、前記案内片には、前記第１の調整ボルトそれぞれを、その中に貫設することで前記第１の取付け孔それぞれに締結して前記案内片と前記組付部品との相対的位置を調整するための第１の摺動溝と、前記第１の摺動溝と一定角度をなすように設けられる第２の摺動溝とがさらに設けられる。
【００１２】
一実施例では、前記第３の摺動案内部品は、前記複数の針糸を通すための複数の第１の針糸繰り部と、前記第２の摺動溝に組み付けられて前記第３の摺動案内部品を、前記第３の摺動案内部品にて前記垂直方向直線移動を行わせる調整部とをさらに含む。
【００１３】
一実施例では、前記調整部には、第２の調整ボルトそれぞれを締結する複数の第２の取付け孔がさらに設けられ、前記複数の第２の調整ボルトは、前記第２の摺動溝にそれぞれ貫設されることで前記第２の取付け孔にそれぞれ締結される。
【００１４】
一実施例では、前記案内片には、前記第１の摺動溝に直交する複数の第１の目盛りがさらに設けられる。
【００１５】
一実施例では、前記案内片には、前記第２の摺動溝に直交する複数の第２の目盛りがさらに設けられる。
【００１６】
一実施例では、前記第１の摺動溝と前記第２の摺動溝は直交するように設けられる。
【考案の効果】
【００１７】
本考案にかかる針糸区間の繰り出し量を調整可能なミシンは、従来技術に比べ以下の利点を有する：
【００１８】
１．本考案は、前記第３の摺動案内部品の、前記定置針糸装置と前記揺動式針糸繰り出し組立体と間での相対的運動により前記複数のミシン針に、より大きな針糸繰り出し量の針糸区間を供給することができるため、マイクロファイバー地でも、薄地の布や、伸縮性に富んだ布地などでも、不具合なく縫製することができる。
【００１９】
２．本考案では、前記複数の第１の目盛りと前記複数の第２の目盛りのみにより、前記第３の摺動案内部品と前記第１の摺動案内部品との相対的距離と高さを決定することができる。
【図面の簡単な説明】
【００２０】
【図１】本考案のミシンの組立状態図である。
【図２】第１の角度における、本考案の揺動式針糸繰り出し組立体、保持と針糸案内ケース及び糸調子組立体の組立状態図である。
【図３】第２の角度における、本考案の揺動式針糸繰り出し組立体、保持と針糸案内ケース及び糸調子組立体の組立状態図である。
【図４】本考案の糸調子組立体の部品構成図である。
【図５】本考案による糸通しの概略図である。
【図６】本考案の揺動式針糸繰り出し組立体の動作概略図１である。
【図７】本考案の揺動式針糸繰り出し組立体の動作概略図２である。
【図８】本考案の糸調子組立体の動作概略図１である。
【図９】本考案の糸調子組立体の動作概略図２である。
【考案を実施するための形態】
【００２１】
以下、本考案の詳細及び技術内容について、図面を参照して説明する。
【００２２】
図１、図２、図３、図４、図５に示すとおり、本考案は、針糸区間の繰り出し量を調整可能なミシンを開示し、ミシン本体１と、揺動式針糸繰り出し組立体２と、保持と針糸案内ケース３と、糸調子組立体４とを含む。
【００２３】
具体的には、前記ミシン本体１は、ミシンアーム部１１と、前記ミシンアーム部１１に取り付けられて複数の針糸５を輸送する定置針糸装置１２と、前記ミシンアーム部１１に取り付けられて前記ミシンアーム部１１に対して往復縫製運動を行う針棒１３と、前記針棒１３に取り付けられて前記針棒１３に連動する複数のミシン針１４と、前記定置針糸装置１２と前記針棒１３との間に設けられて前記往復縫製運動と同期して往復回転運動を行う駆動軸１５とを含む。
本実施例では、好ましくは、前記複数のミシン針１４を３本として実施し、また好ましくは、前記複数の針糸５を３本として実施するが、これだけに限定されない。
【００２４】
前記揺動式針糸繰り出し組立体２は、前記ミシン本体１に取り付けられ、前記揺動式針糸繰り出し組立体２は、前記駆動軸１５に組み付けられて前記駆動軸１５に駆動されて往復揺動運動を行う接合部品２１と、前記接合部品２１に組み付けられて前記定置針糸装置１２から連続的に前記複数の前記針糸５を輸送する第１の摺動案内部品２２と、第２の摺動案内部品２３とを含む。
なお、前記接合部品２１は、前記駆動軸１５に枢設されるとともに固定ボルト２１１により前記駆動軸１５に締結される枢着部２１２を含む。
前記第１の摺動案内部品２２には、前記針糸５それぞれを通すための第１の針糸繰り部２２１が設けられ、前記第２の摺動案内部品２３は、前記針糸５それぞれを通すための第２の針糸繰り部２３１を備え、また、前記第１の摺動案内部品２２と前記第２の摺動案内部品２３は、前記接合部品２１に対してそれぞれ水平方向直線移動を行うことができ、すなわち前記第１の針糸繰り部２２１と前記複数の第２の針糸繰り部２３１との相対的距離と、前記第１の針糸繰り部２２１と前記定置針糸装置１２との相対的距離を変更し、または前記第１の摺動案内部品２２と前記第２の摺動案内部品２３の、前記接合部品２１との相対的位置をそれぞれ変更することができる。
また、本実施例では、前記第１の摺動案内部品２２の長さは、前記第２の摺動案内部品２３の長さよりも小さいが、これだけに限定されない。
さらに、前記第１の針糸繰り部２２１は、複数の第１の針糸繰り孔２２２を含み、前記第２の針糸繰り部２３１は、複数の第２の針糸繰り孔２３２を含む。
【００２５】
前記保持と針糸案内ケース３は、前記ミシン本体１に取り付けられ、前記保持と針糸案内ケース３は、前記ミシンアーム部１１に組み付けられて前記揺動式針糸繰り出し組立体２を保持する保持枠３１と、前記保持枠３１に設けられて連続的に前記針糸５それぞれを、前記複数のミシン針１４まで輸送する針糸案内部品３２と、前記針糸案内部品３２と前記第２の摺動案内部品２３と間に設けられる複数の調整部品３３とを含む。
さらに、前記保持枠３１は、前記揺動式針糸繰り出し組立体２を包囲することで、前記揺動式針糸繰り出し組立体２を保持させて、前記揺動式針糸繰り出し組立体２が、外部物体にじゃまされることなく前記往復揺動を安定的に行うよう確保することができる。
本考案の一実施例では、前記保持枠３１は、フレーム本体３１１と、前記調整部品３３と前記第２の摺動案内部品２３と対応するように前記フレーム本体３１１に設けられる可動じゃま板３１２と、前記可動じゃま板３１２に枢着されて前記フレーム本体３１１に固設される枢着部品３１３とを備える。
さらに、本考案では、前記保持枠３１が組み付けられると、通常状態では、前記揺動式針糸繰り出し組立体２を隠蔽しており、つまり、前記ミシン本体１の通常運転状態では、前記可動じゃま板３１２は、通常、前記調整部品３３と前記第２の摺動案内部品２３を隠蔽することで、前記調整部品３３と前記第２の摺動案内部品２３が、外力を受けて正常に動作できないことのないよう保持し、前記可動じゃま板３１２は、通常状態において、前記調整部品３３と前記第２の摺動案内部品２３を隠蔽している（図２参照）。使用者は、前記第１の摺動案内部品２２、第２の摺動案内部品２３と前記調整部品３３のうちのいずれかを調整、または修理したいなら、前記可動じゃま板３１２を付勢することで、前記可動じゃま板３１２を、前記枢着部品３１３を介して前記フレーム本体３１１に対して回動させれば、前記可動じゃま板３１２により隠蔽された位置に空間ができ、そして使用者は、前記空間から、前記第１の摺動案内部品２２、第２の摺動案内部品２３と前記調整部品３３のうちのいずれかを調整、または修理することができる。調整、または修理作業が完了すると、前記可動じゃま板３１２を、前記枢着部品３１３を介して通常位置に戻せばよい。
さらに、本実施例では、前記枢着部品３１３の一例としてねじを挙げたが、これだけに限定されない。
また、前記複数の調整部品３３は、前記保持枠３１に対して上下移動を行うことで前記ミシン針１４それぞれに繰り出される、前記針糸５の繰り出し量をそれぞれ制御することができる。
【００２６】
前記糸調子組立体４は、前記定置針糸装置１２と前記揺動式針糸繰り出し組立体２との間に取り付けられ、前記糸調子組立体４は、前記定置針糸装置１２に取り付けられる組付部品４１と、前記組付部品４１に組み付けられる案内片４２と、前記案内片４２に組み付けられる第３の摺動案内部品４３とを含む。
前記組付部品４１は、前記定置針糸装置１２に組み付けられる組付部４１１と、前記組付部４１１から延伸することで前記案内片４２を組み付けるための接続部４１２と、前記接続部４１２に設けられて第１の調整ボルト４１３をそれぞれ締結させるための複数の第１の取付け孔４１４とを含み、なお、前記組付部４１１と前記接続部４１２と間に湾曲部４１５がさらに設けられることで、前記組付部４１１と前記接続部４１２との間に一定角度を形成する。
前記案内片４２には、前記複数の第１の調整ボルト４１３を貫設することで前記第１の取付け孔４１４内に締結させて前記案内片４２を、前記組付部品４１に対して前記第１の摺動案内部品２２と前記第２の摺動案内部品２３と同様に、前記水平方向直線移動を行わせる第１の摺動溝４２１と、前記第１の摺動溝４２１と一定角度をなすように設けられる第２の摺動溝４２２とが設置され、本実施例では、前記第１の摺動溝４２１と前記第２の摺動溝４２２は直交するように設けられる。
前記第３の摺動案内部品４３は、前記複数の針糸５を通すための複数の第３の針糸繰り部４３１と、前記第３の針糸繰り部４３１から延伸して前記案内片４２に組み付けられる調整部４３２とを含み、前記調整部４３２に、第２の調整ボルト４３３をそれぞれ締結させる複数の第２の取付け孔４３４が設けられ、前記複数の第２の調整ボルト４３３は、前記第２の摺動溝４２２にそれぞれ貫設されて前記第２の取付け孔４３４に締結されることで、前記第３の摺動案内部品４３を、前記第２の摺動溝４２２に沿って垂直方向直線移動を行わせることができる。
また、前記案内片４２に、前記第１の摺動溝４２１と前記第２の摺動溝４２２の側辺に対してそれぞれ、複数の第１の目盛り４２３及び複数の第２の目盛り４２４が設けられる。
さらに、前記第３の針糸繰り部４３１には、前記複数の針糸５を通すための複数の第３の針糸繰り孔４３５がさらに設けられる。
【００２７】
図６、図７に示すとおり、前記針棒１３が前記縫製往復運動を行うと、前記駆動軸１５はそれと同期して前記往復回転運動を行う。前記駆動軸１５が前記往復回転運動を行って前記揺動式針糸繰り出し組立体２を下向きに回転させると、前記揺動式針糸繰り出し組立体２は、前記針糸５の繰り出し量をそれぞれ適宜制御して前記複数のミシン針１４まで輸送する。
なお、前記揺動式針糸繰り出し組立体２は、前記針糸５をそれぞれ動かして、前記針糸５を前記複数の調整部品３３に衝撃させることで前記針糸５をそれぞれ繰り出す。続いて、前記針棒１３が、前記布料から遠ざかって前記縫製往復運動を行うと、前記駆動軸１５はそれと同期して前記往復回転運動を行う。前記駆動軸１５が前記往復回転運動を行って前記揺動式針糸繰り出し組立体２を上向きに回転させると、前記針糸５それぞれが、弛緩状態になって前記布の下方にルーパ糸を形成し、そして、（不図示の）下方のかぎ針は、前記ルーパ糸を順次通り抜けることができる。
さらに、本考案では、前記第１の摺動案内部品２２と前記第２の摺動案内部品２３との相対的位置を調整することで、前記針糸５の繰り出し量をそれぞれ制御することができるとともに、前記複数の調整部品３３の位置する高さをもって、前記針糸５の繰り出し量をそれぞれ調整することもできる。つまり、前記複数の調整部品３３が高く位置すればするほど、または前記複数のミシン針１４から離間すればするほど、前記複数のミシン針１４に繰り出される前記針糸５の繰り出し量が増加することとなる。
また、前記第２の摺動案内部品２３は、前記接合部品２１から離間するに従って、前記複数の第２の針糸繰り部２３１も、前記駆動軸１５から離間する。つまり、前記第２の摺動案内部品２３が、下向きに揺動すると、前記第２の摺動案内部品２３により繰り出される針糸の繰り出し量が増加し、且つ前記揺動式針糸繰り出し組立体２が下向きに揺動するに従って、前記揺動式針糸繰り出し組立体２により繰り出される針糸の繰り出し量も増加する。
【００２８】
図８、図９に示すとおり、本考案は、前述のように、前記第１の摺動案内部品２２と前記第２の摺動案内部品２３を調整することで針糸繰り出し量の調整を行うことができる他に、前記第３の摺動案内部品４３を調整することで針糸繰り出し量の調整を行うこともできる。
前記第３の摺動案内部品４３を調整することは、主に、前記案内片４２が、前記組付部品４１に前記水平方向直線移動を行うよう調整するとともに、前記第３の摺動案内部品４３が、前記案内片４２に前記垂直方向直線移動を行うよう調整することで、前記第３の摺動案内部品４３と前記第１の摺動案内部品２２との距離と角度を調整することである。
前記案内片４２は、前記組付部品４１に前記水平方向直線移動を行うと、前記第３の摺動案内部品４３が前記第１の摺動案内部品２２から離間するに従って、前記針糸５が漸次緊張していき、その逆に、前記第３の摺動案内部品４３が、前記第１の摺動案内部品２２に接近するに従って、前記針糸５が漸次弛緩していく。
前記第３の摺動案内部品４３が、前記案内片４２に前記垂直方向直線運動を行うと、前記第３の摺動案内部品４３と前記第１の摺動案内部品２２との間になされる角度が大きくなるに従って、前記針糸５が漸次緊張していき、その逆に、前記第３の摺動案内部品４３と前記第１の摺動案内部品２２との間になされる角度が小さくなるに従って、前記針糸５が漸次弛緩していき、さらに、前記案内片４２と前記第３の摺動案内部品４３の位置を調整することで前記針糸５のテンション（緩み具合）を調整する。すなわち、前記第３の摺動案内部品４３と前記第１の摺動案内部品２２との距離と角度が増加するに従って、前記揺動式針糸繰り出し組立体２により繰り出される針糸の繰り出し量も増加する。その逆に、前記第３の摺動案内部品４３と前記第１の摺動案内部品２２との距離と角度が減少するに従って、前記揺動式針糸繰り出し組立体２により繰り出される針糸の繰り出し量も減少する。
【００２９】
また、前記案内片４２が前記水平方向直線移動を行うと、前記第１の目盛り４２３から前記水平方向直線移動の変位量を測量することで、前記案内片４２の組付状態をわずかに調整することができる。前記第３の摺動案内部品４３が、前記垂直方向直線移動を行うと同時に、前記第２の目盛り４２４から前記垂直方向直線移動の変位量を測量することで、前記第３の摺動案内部品４３を、前記案内片４２に対してわずかに調整することができる。
さらに、前記第３の摺動案内部品４３を介して針糸繰り出し量をわずかに調整することで、前記針糸５それぞれの繰り出し量への制御精度を高めることができる。
【００３０】
以上よりわかるように、本考案は、針糸区間の繰り出し量を調整可能なミシンを開示し、定置針糸装置１２付ミシン本体１と、前記ミシン本体１にそれぞれ取り付けられる揺動式針糸繰り出し組立体２と、保持と針糸案内ケース３と、前記揺動式針糸繰り出し組立体２と前記定置針糸装置１２との間に取り付けられて水平方向直線移動と垂直方向直線移動を行う糸調子組立体４とを含み、このような構成により、前記糸調子組立体４が、前記揺動式針糸繰り出し組立体２に対して前記水平方向直線移動と前記垂直方向直線移動を行うことで、複数のミシン針１４における複数針糸５の針糸区間の繰り出し量を調整することができる。
【００３１】
従来技術と比べ、本考案は、前記定置針糸装置１２と前記揺動式針糸繰り出し組立体２との間における前記第３の摺動案内部品４３の相対的運動により、前記複数のミシン針１４に、より大きな繰り出し量の針糸区間を供給することができるため、マイクロファイバー地でも、薄地の布や、伸縮性に富んだ布地などでも、不具合なく縫製することができる。
また、本考案は、前記複数の第１の目盛り４２３と前記複数の第２の目盛り４２４のみにより、前記第３の摺動案内部品４３と前記第１の摺動案内部品２２との相対的距離と高さを決定することができるため、前記針糸５それぞれの繰り出し量への制御精度を高めることができる。
【００３２】
上記の記載により、本考案を詳細に説明したが、これは本考案の好適な実施例に過ぎず、これをもって本考案を限定するものではない。本考案の登録請求範囲に基づく同等な変更と修飾は、いずれも本考案に含まれるものとする。
【図１】
0003214602.tif 000003
【図２】
0003214602.tif 000004
【図３】
0003214602.tif 000005
【図４】
0003214602.tif 000006
【図５】
0003214602.tif 000007
【図６】
0003214602.tif 000008
【図７】
0003214602.tif 000009
【図８】
0003214602.tif 000010
【図９】
0003214602.tif 000011